(57)【要約】【課題】ペット台の高さ位置を容易に、安全に調整でき、診察台や手術台とも兼用できるペット用ストレッチャーを提供する。【解決手段】ペット台１を可動台１０上に折り畳み昇降機２０を介して架設したペット用ストレッチャーＡにおいて、ペット台は、両側に一対の折り畳み昇降機構用の操作レバー２が対向配設され、可動台は、四角形のフレーム１０ａにて形成され、下面に移動用のキャスター１１が取付けられ、折り畳み昇降機構は、パンタグラフ機構２１とダンパー３１とを主要部材とし、パンタグラフ機構は、中央交叉部において回動自在に軸支されるＸ脚２３を備え、ダンパーは、支持アーム３２にシリンダー３１ａ下端が回動自在に軸支され、支持板３５上方に、ピストンロッド３１ｂ上端の操作ボタン３７を押圧操作する押圧板３８が昇降自在に配設され、押圧板には、作動線先端が固定されている構成。【選択図】          図１
2005052185.tif 000002
【特許請求の範囲】
【請求項１】
ペット台を可動台上に折り畳み昇降機を介して架設したペット用ストレッチャーにおいて、
前記ペット台は、両側に一対の折り畳み昇降機構用の操作レバーが対向配設されており、
前記可動台は、四角形のフレームにて形成されると共に、下面に移動用のキャスターが取付けられており、
前記折り畳み昇降機構は、パンタグラフ機構とダンパーとを主要部材としており、パンタグラフ機構は、中央交叉部において回動自在に軸支される一対のＸ脚を備え、両Ｘ脚の上端の一方は、ペット台両側の一端近傍に回動自在に軸支されると共に、上端の他方は、ペット台の他端側の両側に形成されたガイド部に移動自在に設けられ、両Ｘ脚の下端の一方は、可動台の前記ペット台における軸支部と対応するように回動自在に軸支されると共に、下端の他方は、ペット台のガイド部と対応するように形成されたガイド部に移動自在に設けられ、
一方、ダンパーは、パンタグラフ機構におけるＸ脚の軸支部側下方に設けられた支持アームにシリンダー下端が回動自在に軸支されており、他方のＸ脚の略中央部に掛け渡された支持板に、上端に設けられた操作ボタンが支持板上方に突出した状態でピストンロッド上部が固定されており、
前記支持板上方に、ピストンロッド上端の操作ボタンを上方より押圧操作する押圧板が昇降自在に配設されると共に、該押圧板には、前記ペット台両側に配設された操作レバーによって押圧板を昇降動作する作動線先端が固定されていることを特徴とするペット用ストレッチャー。
【発明の詳細な説明】
【０００１】
【発明の属する技術分野】
本発明は、ペット台の高さ位置を調整自在としたペット用ストレッチャーに関する。
【０００２】
【従来の技術】
従来、動物病院において、犬、猫などのペットを診察あるいは手術する際、専用の診察台や手術台が使用されている。
【０００３】
而して、動物病院へ持ち込まれたペットは、診察台や手術台まで人手によって搬送されるか、あるいは大型犬等の場合はストレッチャーを使って搬送されることが多い。
【０００４】
【発明が解決しようとする課題】
しかしながら、人手による搬送は煩わしい手間および労力が多く掛かる。また、ストレッチャーを使っても、診察台や手術台の高さがまちまちであるため、結局は人手を煩わせることになる。さらに、診察や手術後に、病院内に積層されたケージ（犬舎）に隔離する必要があるが、この際もケージの高さ位置によっては煩わしい作業が必要となる。
【０００５】
本発明は、以上の問題点を解消するためのもので、ペット台の両側に配設した操作レバーの両手操作により、ペット台の高さ位置を容易に、しかも安全に調整できると共に、診察台や手術台等とも兼用できるようにしたペット用ストレッチャーを提供することを目的とする。
【０００６】
【課題を解決するための手段】
上記目的を達成するために、本発明に係るペット用ストレッチャーは、ペット台を可動台上に折り畳み昇降機を介して架設したペット用ストレッチャーにおいて、
前記ペット台は、両側に一対の折り畳み昇降機構用の操作レバーが対向配設されており、
前記可動台は、四角形のフレームにて形成されると共に、下面に移動用のキャスターが取付けられており、
前記折り畳み昇降機構は、パンタグラフ機構とダンパーとを主要部材としており、パンタグラフ機構は、中央交叉部において回動自在に軸支される一対のＸ脚を備え、両Ｘ脚の上端の一方は、ペット台両側の一端近傍に回動自在に軸支されると共に、上端の他方は、ペット台の他端側の両側に形成されたガイド部に移動自在に設けられ、両Ｘ脚の下端の一方は、可動台の前記ペット台における軸支部と対応するように回動自在に軸支されると共に、下端の他方は、ペット台のガイド部と対応するように形成されたガイド部に移動自在に設けられ、
一方、ダンパーは、パンタグラフ機構におけるＸ脚の軸支部側下方に設けられた支持アームにシリンダー下端が回動自在に軸支されており、他方のＸ脚の略中央部に掛け渡された支持板に、上端に設けられた操作ボタンが支持板上方に突出した状態でピストンロッド上部が固定されており、
前記支持板上方に、ピストンロッド上端の操作ボタンを上方より押圧操作する押圧板が昇降自在に配設されると共に、該押圧板には、前記ペット台両側に配設された操作レバーによって押圧板を昇降動作する作動線先端が固定されていることを特徴とする。
【０００７】
【発明の実施の形態】
以下、本発明の実施の形態について図面を参照して詳細に説明する。
図１は、本発明に係るペット用ストレッチャーの全体斜視図であり、図２は、同上の使用状態を示す伸長時の側面図であり、図３は、同上の折り畳み時の側面図であり、図４は、操作レバーとダンパーの動作説明図であり、図５は、操作レバーとダンパーの作動前の関係を示す説明図であり、図６は、同上の作動時の関係を示す説明図である。
【０００８】
本発明のペット用ストレッチャーＡは、ペット台１を可動台１０上に折り畳み昇降機２０を介して架設したものである。
【０００９】
前記ペット台１は、ステンレス製の四角形の平板部１ａと、その四周下端に突設されたフレーム１ｂとよりなる。フレーム１ｂの手前側（図２の右側）下部に、折り畳み昇降機構２０用の操作レバー２、２が対向配設されている。そして、フレーム１ｂの後方側（図２の左側）内側には一対のガイド部３、３が対向配置されている。このガイド部３は、一対のコ字状枠３ａ、３ａにて形成され、開口部が互いに対向するようフレーム１ｂの内側にそれぞれ固定されている。なお、前記平板部１ａの上面には、必要に応じて不図示のビニルシートカバー等を被せることもできる。
【００１０】
前記可動台１０は、ステンレス製の四角形のフレーム１０ａにて形成されると共に、下面四隅に移動用のキャスター１１が取り付けられている。フレーム１０ａの後方側（図２の左側）内側には一対のガイド部１２、１２が対向配置されている。このガイド部１２も、一対のコ字状枠１２ａ、１２ａにて形成され、ペット台１のコ字状枠３ａ、３ａと対応する直下に、開口部が互いに開口するようフレーム１０ａの内側にそれぞれ固定されている。
【００１１】
前記折り畳み昇降機構２０は、ステンレス製のパンタグラフ機構２１と２個のダンパー３１、３１とを主要部材として構成されている。
【００１２】
パンタグラフ機構２１は、中央交叉部において軸２２にて回動自在に軸支されている一対のＸ脚２３、２３を備えている。そして、両Ｘ脚２３、２３の上端の一方は、ペット台１のフレーム１ｂ両側の一端近傍、すなわち操作レバー２、２が配設された手前側のフレーム１ｂ内面にピン２４にてそれぞれ回動自在に軸支されている。
【００１３】
両Ｘ脚２３、２３の上端の他方は、ガイドローラ２５、２５が回動自在に枢支されており、ペット台１のフレーム１ｂ両側の他端側（後部側）内面に対向配置されたガイド部３、３として設けられたコ字状枠３ａ、３ａにそれぞれ回転移動自在に係合されている。
【００１４】
両Ｘ脚２３、２３の下端の一方は、可動台１０の前記ペット台１における軸支部と対応する直下にピン２６にてそれぞれ回動自在に軸支されている。そして、下端の他方にも、ガイドローラ２５、２５が回動自在に枢着されており、ペット台１のガイド部３、３と対応する直下のガイド部１２、１２として設けられたコ字状枠１２ａ、１２ａにそれぞれ回転移動自在に係合されている。
【００１５】
一方、ダンパー３１は、前記パンタグラフ機構２１におけるＸ脚２３、２３の軸支側（図２の右側）に設けられた一対の支持アーム３２先端にシリンダー３１ａ下端が回動自在に軸支されている。図中３３は、Ｘ脚２３、２３下端に掛け渡された連結角棒、３４は、アーム３２先端に掛け渡された連結丸棒をそれぞれ示す。なお、図示例では２個のダンパー３１、３１が記載されているが、一個あるいは３個以上あってもよいことは勿論である。
【００１６】
反対側のＸ脚２３、２３の略中央部には、略逆Ｌ字型の支持板３５が水平状態に掛け渡されており、該支持板３５の平板部３５ｂにダンパー３１のピストンロッド３１ｂの上端が固定されている。図中４６は、その固定部材を示す。
【００１７】
図示例では、Ｘ脚２３、２３の略中央部に水平な軸棒３６の両端が固着されると共に、該軸棒３６に略逆Ｌ字型の支持板３５の屈曲部内側が固着されることによって、支持板３５はＸ脚２３、２３へ間接的に支持されている。しかし、支持板３５はＸ脚２３、２３へ直結するように構成しても良いことは勿論である。
【００１８】
ピストンロッド３１ｂの上端には、上から押されることによってシリンダー３１ａに対してピストンロッド３１ｂの縮小が可能となる操作ボタン３７が突設されており、該操作ボタン３７は支持板３５の上方に突出した状態となっている。
【００１９】
さらに、支持板３５の上方には、ピストンロッド３１ｂ上端の操作ボタン３７を上方より押圧操作する押圧板３８が昇降自在に配設されている。
【００２０】
この押圧板３８は略コ字状に形成されており、その一方の垂直板部３８ａの内側に前記支持板３５の垂直板部３５ａが擢動自在に接触した構造となっている。
そして、垂直板部３８ａの両側には２個の縦長のガイド長孔３９が穿設されると共に、各ガイド長孔３９内には、前記支持板３５の垂直板部３５ａに外側から螺挿したナット４１付きボルト４０がそれぞれ挿通されている。
【００２１】
これによって、押圧板３８は、その平板部３８ｂ内面が、支持板３５の平板部３５ｂ上面と所定の間隔Ｌ、ｌ、すなわちピストンロッド３１ｂ上端に突設された操作ボタン３７に対して非押圧状態を維持する上昇位置と、押圧状態を維持する下降位置とを上下移動できるようになっている。
【００２２】
図中４２は、ペット台１の両側に配設された操作レバー２、２の作動線４３の先端を押圧板３８に連絡固定する作動線固定部材、４５は、作動線４３の外皮４４先端を支持板３５に連結固定する外皮固定部材をそれぞれ示す。
【００２３】
次に、本発明の作動について説明する。
先ず、診察あるいは手術を必要とするペットａをペット台１上面に載せる。
次いで、ペット台１両側の操作レバー２、２のハンドル部を両手を使って持ち上げる。
【００２４】
すると、操作レバー２、２に連結された作動線４３が引っ張られ、作動線４３先端に連結固定された押圧板３８を下げるため、ダンパー３１のピストンロッド３１ｂ上端に設けられた操作ボタン３７が上方から押圧され押し下げられる（図５および図６（イ）、（ロ））。
【００２５】
これによって、ダンパー３１のシリンダー３１ａ内の弁が開き、ピストンロッド３１ｂの縮小が可能となると同時に、ペット台１を支えているＸ脚２３、２３の折り畳みも可能となるため、ペット台１を下方へ押し下げることができる。
【００２６】
そこで、ペット台１を操作レバー２、２のハンドル部を両手で把んだまま下方へ押圧すると、ダンパー３１のピストンロッド３１ｂが縮小すると同時に、シリンダー３１ａ下端も連結丸棒３４を支点として下降回動するため、Ｘ脚２３、２３が軸２２を支点として折り畳まれる。
【００２７】
そして、ペット台１の上面が所定の高さ位置にきたとき、操作レバー２２のハンドル部を把んでいる両手を離すと、作動線４３に対する引っ張り力から解放されるため、操作ボタン３７が上昇し、押圧板３８が元の位置に上昇復帰する。
【００２８】
これによって、ダンパー３１のピストンロッド３１ｂの縮小も止まり、Ｘ脚２３、２３はその位置で固定されるため、ペット台１も所定の高さ位置で停止することとなる。
【００２９】
【発明の効果】
本発明は、以上のように構成されるものであるから、ペット台の両側に配設された操作レバーを両手で操作することによって、ペット台の高さを所望の高さ位置に設定できるよう微調整することができる。しかも、ペット台の降下の際には、ペット自体の重量が押し下げ力として働くため、大型犬等の場合でも非力な女性が容易に操作することができる。
【００３０】
また、操作レバーの両手操作が必要なため、ペット台の昇降を安定して行なうことができると共に、手の危険回避にも有効である。
【００３１】
さらに、ペット台を任意の高さ位置に容易にかつ確実に設定できるため、使い勝手が頗る良く、動物病院における診察台や手術台等にも兼用可能である。
【図面の簡単な説明】
【図１】本発明に係るペット用ストレッチャーの全体斜視図である。
【図２】同上の使用状態を示す伸長時の側面図である。
【図３】同上の折り畳み時の側面図である。
【図４】操作レバーとダンパーの動作説明図である。
【図５】（イ）、（ロ）操作レバーとダンパーの作動前の関係を示す説明図である。
【図６】（イ）、（ロ）同上の作動時の関係を示す説明図である。
【符号の説明】
Ａ      ペット用ストレッチャー
１      ペット台
２      操作レバー
３      ガイド部
１０    可動台
１０ａ  フレーム
１１    キャスター
１２    ガイド部
２０    折り畳み昇降機構
２１    パンタグラフ機構
２２    軸
２３    Ｘ脚
３１    ダンパー
３１ａ  シリンダー
３１ｂ  ピストンロッド
３２    支持アーム
３５    支持板
３７    操作ボタン
３８    押圧板
４３    作動線
【図１】
2005052185.tif 000003
【図２】
2005052185.tif 000004
【図３】
2005052185.tif 000005
【図４】
2005052185.tif 000006
【図５】
2005052185.tif 000007
【図６】
2005052185.tif 000008